(57)【要約】【課題】  対象画像の色調に調和する装飾画像を容易に付加することのできる技術を提供する。【解決手段】  装飾画像格納部２６０は、色が変更可能な内部フレーム領域ＩＦと、内部フレーム領域ＩＦの外側に配置された外部フレーム領域ＯＦとを含む装飾画像テンプレートＦＰＴを格納する。装飾画像生成部２３０は、対象画像ＩＰの色を解析し、その解析結果に応じて装飾画像テンプレートＦＰＴの内部フレーム領域ＩＦの色を決定することによって、対象画像ＩＰに付加される装飾画像ＦＰを生成する。【選択図】  図３
2005117438.tif 000002
【特許請求の範囲】
【請求項１】
対象画像の周囲に装飾画像を付加するための画像処理装置であって、
色が変更可能な内部フレーム領域と、前記内部フレーム領域の外側に配置された外部フレーム領域とを含む装飾画像テンプレートを格納する装飾画像テンプレート格納部と、
前記対象画像の色を解析し、前記解析の結果に応じて前記内部フレーム領域の色を決定することによって、前記対象画像に付加される装飾画像を生成する装飾画像生成部と、
を備える画像処理装置。
【請求項２】
請求項１記載の画像処理装置であって、
前記内部フレーム領域の色は、前記内部フレーム領域に隣接して前記対象画像内に設定される所定の色参照領域の色に応じて決定される、画像処理装置。
【請求項３】
請求項２記載の画像処理装置であって、
前記色参照領域は、複数の色参照ブロックに区分されており、
前記装飾画像生成部は、前記複数の色参照ブロックの色をそれぞれ算出するとともに、前記内部フレーム領域の色を、前記複数の色参照ブロックのいずれの色とも異なる色に設定する、画像処理装置。
【請求項４】
請求項２記載の画像処理装置であって、
前記色参照領域は、複数の色参照ブロックに区分されており、
前記装飾画像生成部は、前記複数の色参照ブロックの色を解析することによって前記色参照領域の色を代表する複数の代表色を決定するとともに、前記内部フレーム領域の色を、前記複数の代表色のいずれとも異なる色に設定する、画像処理装置。
【請求項５】
請求項１ないし４のいずれかに記載の画像処理装置であって、
前記外部フレーム領域の色は、前記装飾画像生成部によって変更不可能な状態で前記装飾画像テンプレートに予め設定されており、
前記内部フレーム領域の色は、前記内部フレーム領域と前記対象画像との間の第１の境界から、前記内部フレーム領域と前記外部フレーム領域との間の第２の境界まで徐々に色が変化するように決定される、画像処理装置。
【請求項６】
請求項１ないし５のいずれかに記載の画像処理装置であって、
前記内部フレーム領域内の各画素の色は、明度を示す第１の成分と、色相と彩度とを示すための第２と第３の成分で表されており、
前記装飾画像テンプレートは、少なくとも前記第１の成分を含む１つ以上の所定の成分が前記装飾画像生成部によって変更不可であることを表すとともに、残りの少なくとも１つ以上の所定の成分が前記装飾画像生成部によって変更可能であることを示す変更可否属性を含む、画像処理装置。
【請求項７】
対象画像の周囲に装飾画像を付加するための方法であって、
（ａ）色が変更可能な内部フレーム領域と、前記内部フレーム領域の外側に配置された外部フレーム領域とを含む装飾画像テンプレートを準備する工程と、
（ｂ）前記対象画像の色を解析し、前記解析の結果に応じて前記内部フレーム領域の色を決定することによって、前記対象画像に付加される装飾画像を生成する工程と、
を備える方法。
【請求項８】
対象画像の周囲に装飾画像を付加するためのコンピュータプログラムであって、
色が変更可能な内部フレーム領域と、前記内部フレーム領域の外側に配置された外部フレーム領域とを含む装飾画像テンプレートを格納するメモリから前記装飾画像テンプレートを読み出す機能と、
前記対象画像の色を解析し、前記解析の結果に応じて前記内部フレーム領域の色を決定することによって、前記対象画像に付加される装飾画像を生成する機能と、
をコンピュータに実現させるコンピュータプログラム。
【発明の詳細な説明】
【技術分野】
【０００１】
この発明は、対象画像に装飾画像を付加する技術に関する。
【背景技術】
【０００２】
デジタルスチルカメラなどの画像生成装置で生成された画像を対象として、ディスプレイやプリンタなどの画像出力装置に出力する際、その対象画像の周囲に装飾画像（「フレーム画像」とも呼ぶ）が付加されることがある。この際、通常は、色調の異なる複数の装飾画像の中から対象画像の色調に調和するものがユーザ自らの判断により選択されていた。
【０００３】
【特許文献１】特開平１０−３２０５７６号公報
【特許文献２】特開２００２−３００３６３号公報
【０００４】
しかしながら、装飾画像の色調を対象画像の色調に調和させることが困難な場合がある。特に、対象画像が種々の異なる色調を含むときには、対象画像の色調に調和する装飾画像を選択するのはかなり困難であった。
【発明の開示】
【発明が解決しようとする課題】
【０００５】
本発明は、上述した従来の課題を解決するためになされたものであり、対象画像の色調に調和する装飾画像を容易に付加することのできる技術を提供することを目的とする。
【課題を解決するための手段】
【０００６】
上記目的の少なくとも一部を達成するために、本発明の装置は、
対象画像の周囲に装飾画像を付加するための画像処理装置であって、
色が変更可能な内部フレーム領域と、前記内部フレーム領域の外側に配置された外部フレーム領域とを含む装飾画像テンプレートを格納する装飾画像テンプレート格納部と、
前記対象画像の色を解析し、前記解析の結果に応じて前記内部フレーム領域の色を決定することによって、前記対象画像に付加される装飾画像を生成する装飾画像生成部と、
を備える。
【０００７】
この画像処理装置によれば、対象画像の色を解析した結果に応じて装飾画像テンプレートの内部フレーム領域の色を決定するので、対象画像の色調に調和する装飾画像を容易に付加することが可能である。
【０００８】
前記内部フレーム領域の色は、前記内部フレーム領域に隣接して前記対象画像内に設定される所定の色参照領域の色に応じて決定されるようにしてもよい。
【０００９】
この構成によれば、内部フレーム領域の色を、隣接する色参照領域の調和した色に設定することができる。
【００１０】
前記色参照領域は、複数の色参照ブロックに区分されており、
前記装飾画像生成部は、前記複数の色参照ブロックの色をそれぞれ算出するとともに、前記内部フレーム領域の色を、前記複数の色参照ブロックのいずれの色とも異なる色に設定するようにしてもよい。
【００１１】
この構成によれば、内部フレーム領域の色を、隣接する対象画像部分の色とは異なる色に容易に設定することができる。
【００１２】
前記色参照領域は、複数の色参照ブロックに区分されており、
前記装飾画像生成部は、前記複数の色参照ブロックの色を解析することによって前記色参照領域の色を代表する複数の代表色を決定するとともに、前記内部フレーム領域の色を、前記複数の代表色のいずれとも異なる色に設定するようにしてもよい。
【００１３】
この構成によれば、色参照ブロックの色が極めて多数の色にわたっているときにも、内部フレーム領域の色を適切な色に容易に設定することができる。
【００１４】
前記外部フレーム領域の色は、前記装飾画像生成部によって変更不可能な状態で前記装飾画像テンプレートに予め設定されており、
前記内部フレーム領域の色は、前記内部フレーム領域と前記対象画像との間の第１の境界から、前記内部フレーム領域と前記外部フレーム領域との間の第２の境界まで徐々に色が変化するように決定されるようにしてもよい。
【００１５】
この構成によれば、内部フレーム領域と外部フレーム領域の色とを調和させることができる。
【００１６】
前記内部フレーム領域内の各画素の色は、明度を示す第１の成分と、色相と彩度とを示すための第２と第３の成分で表されており、
前記装飾画像テンプレートは、少なくとも前記第１の成分を含む１つ以上の所定の成分が前記装飾画像生成部によって変更不可であることを表すとともに、残りの少なくとも１つ以上の所定の成分が前記装飾画像生成部によって変更可能であることを示す変更可否属性を含むようにしてもよい。
【００１７】
この構成によれば、内部フレーム領域の模様を変えずに色調のみを変更することが可能である。
【００１８】
なお、本発明は、種々の態様で実現することが可能であり、例えば、対象画像に装飾画像を付加するための画像処理方法および装置、画像処理システム、対象画像に装飾画像を付加した装飾付き画像を出力するための画像出力方法および装置、それらの方法または装置の機能を実現するためのコンピュータプログラム、そのコンピュータプログラムを記録した記録媒体、等の態様で実現することができる。
【発明を実施するための最良の形態】
【００１９】
次に、本発明を実施するための最良の形態を実施例に基づいて以下の順序で説明する。
Ａ．実施例：
Ｂ．変形例：
【００２０】
Ａ．実施例：
図１は、本発明の一実施例としての画像処理システム１００を示す説明図である。この画像処理システム１００は、デジタルスチルカメラ１１０とパーソナルコンピュータ１２０とカラープリンタ１４０とを備えている。パーソナルコンピュータ１２０に組み込まれている画像処理装置２００は、デジタルスチルカメラ１１０で生成された入力画像に装飾画像を付加することによって装飾付き画像を生成する機能を有する。
【００２１】
なお、本実施例ではパーソナルコンピュータ１２０に画像処理装置２００を組み込んでいるが、カラープリンタ１４０に画像処理装置２００を組み込むことも可能であり、デジタルスチルカメラ１１０に画像処理装置２００を組み込んでも良い。
【００２２】
図２は、実施例における画像処理装置２００の構成を示すブロック図である。画像処理装置２００は、入力画像取得部２１０と、装飾画像生成部２３０と、画像合成部２４０と、出力画像生成部２５０と、装飾画像格納部２６０とを備えている。これらの各部の機能は、コンピュータプログラムによって実現されている。
【００２３】
図３は、この画像処理装置２００の処理の概要を示している。入力画像取得部２１０（図２）は、画像データファイルＧＤから図３（Ａ）に示すような入力画像ＩＰ（「対象画像」とも呼ぶ）を取得する。この入力画像は、通常はカラー写真である。装飾画像格納部２６０は、図３（Ｂ）に示すような装飾画像テンプレートＦＰＴを格納している。この装飾画像テンプレートＦＰＴは、対象画像を配置するための画像割付領域ＭＡを中央に有しており、画像割付領域ＭＡの周囲には、内部フレーム領域ＩＦと外部フレーム領域ＯＦとが設けられている。本実施例では、外部フレーム領域ＯＦは、変更不可能な画像で構成されている。一方、内部フレーム領域ＩＦは、その模様が所定のパターンに固定されているが、内部フレーム領域ＩＦの色は入力画像ＩＰの色に応じて変更可能である。この詳細については後述する。なお、装飾画像格納部２６０は、模様が異なる複数種類の装飾画像テンプレートＦＰＴを格納しており、その中の１つがユーザによって選択される。
【００２４】
装飾画像生成部２３０（図２）は、ユーザの選択指示に応じて装飾画像格納部２６０から装飾画像テンプレートＦＰＴを取得する。そして、入力画像ＩＰの色を解析し、その解析結果に応じて内部フレーム領域ＩＦの色を決定することによって、入力画像ＩＰに付加される装飾画像ＦＰを生成する。画像合成部２４０は、この装飾画像ＦＰと入力画像ＩＰとを合成して、図３（Ｃ）に示す装飾付き画像ＳＰ（「フレーム付き画像」とも呼ぶ）を生成する。この装飾付き画像ＳＰは、出力画像生成部２５０において必要に応じて画質調整がなされた後、出力データ（印刷データ）ＰＤとしてプリンタ１４０に出力される。
【００２５】
図４は、装飾画像テンプレートＦＰＴのデータ構造３００を示す説明図である。図４（Ａ）に示すように、このデータ構造３００は、ヘッダ３０２と、内部フレーム画像格納部３０４と、外部フレーム画像格納部３０６とを含んでいる。図４（Ｂ）に示すように、ヘッダ３０２は、装飾画像テンプレートＦＰＴであることを示す識別子３１０と、データの形式を示すデータ形式識別コード３１２と、内部フレーム領域ＩＦの形状を表すデータ３１４と、外部フレーム領域ＯＦの形状を表すデータ３１６と、画像割付領域ＭＡの形状を表すデータ３１８とを含んでいる。
【００２６】
図４（Ｃ）に示すように、内部フレーム画像格納部３０４は、内部フレーム領域ＩＦ内のカラー画像を表す３つの画像成分データ３２０，３２２，３２４と、色参照ブロックデータ３２６とを含んでいる。色参照ブロックデータ３２６は、内部フレーム領域ＩＦの色を決定するために参照される入力画像ＩＰ内の画像部分（「色参照ブロック」と呼ぶ）の位置を示すデータである。色参照ブロックについては後述する。
【００２７】
内部フレーム領域ＩＦ内のカラー画像を表すための３つの画像成分データ３２０，３２２，３２４は、内部フレーム領域ＩＦ内における色相Ｈ（Hue）分布と、彩度Ｓ（Saturation）分布と明度Ｖ（Value）分布とをそれぞれ示している。３つの画像成分データ３２０，３２２，３２４のそれぞれの先頭には、変更禁止ビットＭＩＢが付されている。この変更禁止ビットＭＩＢが「１」のデータは、装飾画像生成部２３０がそのデータの値を変更できないことを示しており、変更禁止ビットＭＩＢが「０」のデータはそのデータの値を変更できることを示している。なお、変更禁止ビットＭＩＢ自身は書き換え不能なデータである。ここで、「データが書き換え不能」とは、装飾画像生成部２３０の機能を実現するプログラムが、そのデータを書き換えられないように構成されていることを意味する。本実施例では、色相データ３２０の変更禁止ビットＭＩＢは０（変更可）であり、彩度データ３２２と明度データ３２４の変更禁止ビットＭＩＢは１（変更不可）である。従って、この装飾画像テンプレートＦＰＴの内部フレーム領域ＩＦは、装飾画像生成部２３０によって色相データ３２０は変更され得るが、彩度データ３２２と明度データ３２４は変更されない。彩度データ３２２と明度データ３２４は、内部フレーム領域ＩＦの模様（明暗の模様）を表現しているので、内部フレーム領域ＩＦの色相データ３２０の値を変更すると、模様は変更されずに色調のみが変更される。
【００２８】
図４（Ｄ）に示すように、外部フレーム画像格納部３０６は、外部フレーム領域ＯＦ内のカラー画像を表す３つの画像成分データ３３０，３３２，３３４を含んでいる。これらのデータの変更禁止ビットＭＩＢの値はいずれも「１」であり、これらのデータが変更不可であることを示している。但し、外部フレーム領域ＯＦの３つの画像成分データ３３０，３３２，３３４のうちの１つ以上の成分が、変更可能なデータとして設定されていてもよい。
【００２９】
図５は、内部フレーム領域ＩＦの色相の決定方法を示す説明図である。図５（Ａ）に示されているように、画像割付領域ＭＡの最外周には、装飾画像の内部フレーム領域ＩＦの内側に隣接する色参照領域ＲＥＦが設けられている。図５（Ｂ）は、図５（Ａ）に示されている矩形部分の拡大図である。色参照領域ＲＥＦは、複数の色参照ブロックＲｉ（ｉは１〜Ｎの整数）に区分されている。１つの色参照ブロックＲｉは、複数の画素で構成されている。色参照ブロックＲｉは、内部フレーム領域ＩＦの内側に隣接した画像割付領域ＭＡの最外周に設けられているので、色参照ブロックＲｉは入力画像ＩＰ内にある。なお、各色参照ブロックＲｉの位置は、色参照ブロックデータ３２６（図４（Ｃ））によって予め指定されている。
【００３０】
装飾画像生成部２３０は、色参照領域ＲＥＦの色相を解析することによって、内部フレーム領域ＩＦの色相を決定する。具体的には、装飾画像生成部２３０は、まず、各色参照ブロックＲｉの平均色を算出して、図５（Ｃ）に示すような色相ヒストグラムを生成する。このヒストグラムの横軸は色相角であり、縦軸は色参照ブロックの数である。なお、横軸には、色相名も示されている。また、この例では、色相角の単位で１５°毎に色相が分類されている。装飾画像生成部２３０は、内部フレーム領域ＩＦの色相を、複数の色参照ブロックの色相のいずれとも異なる値に設定する。具体的には、図５（Ｃ）では複数の色参照ブロックＲｉの色相が６０°〜２５５°の範囲にわたっているので、内部フレーム領域ＩＦの色相は、この範囲以外の色相の値に設定される。例えば、内部フレーム領域ＩＦの色相値として、色参照ブロックの複数の色相値から３０°離れた値に設定してもよい。このとき、図５（Ｃ）の例では、内部フレーム領域ＩＦの色相値は、３０°または２８５°に設定される。このように、内部フレーム領域ＩＦの色相を、複数の色参照ブロックの色相のいずれとも異なる値に設定すれば、内部フレーム領域ＩＦと対象画像ＩＰとの境界が不明瞭になることを防止できる。この結果、装飾画像ＦＰによる所望の視覚的効果が低減することを抑制できる。
【００３１】
なお、内部フレーム領域ＩＦの色を、上述とは異なる方法で決定することも可能である。例えば、図５（Ｃ）のようなヒストグラムに基づいて色参照領域ＲＥＦの色を代表する複数の代表色を決定し、内部フレーム領域ＩＦの色を、これらの代表色のいずれとも異なる色に設定するようにしてもよい。例えば、図５（Ｃ）の例において代表色を２つ選択すると仮定すると、頻度の最も大きなシアン色と緑色の色相値が代表色として選択される。このとき、内部フレーム領域ＩＦの色相は、これらの代表色とは異なる色相に設定される。具体的には、例えば、複数の代表色の色相角の平均値に１８０°を加算することによって、内部フレーム領域ＩＦの色相を決定することが可能である。なお、色参照領域ＲＥＦの複数の代表色を決定する際には、色参照領域ＲＥＦをブロックに区分する必要は無く、例えば色参照領域ＲＥＦ内の画素の色ヒストグラムに基づいて、複数の代表色を決定することも可能である。
【００３２】
なお、図４（Ｃ）のデータ構造では、色相データ３２０のみが変更可能であるものとしたが、この代わりに、色相データ３２０と彩度データ３２２を変更可能に設定することも可能である。この場合には、内部フレーム領域ＩＦの色相と彩度が、色参照領域ＲＥＦの解析で得られた色相と彩度に応じてそれぞれ決定される。このとき、内部フレーム領域ＩＦの彩度は、色参照領域ＲＥＦの解析で得られた彩度よりもやや小さな値に設定することができる。このように内部フレーム領域ＩＦの彩度を低下させるようにすれば、フレームブロックの色を入力画像の色に調和させることができる場合が多い。
【００３３】
こうして決定された内部フレーム領域ＩＦの色相値は、内部フレーム領域ＩＦの全画素に適用することが可能である。但し、本実施例では、図６に示すように、内部フレーム領域ＩＦと外部フレーム領域ＯＦとの境界で色のジャンプが生じないように、以下の（１）式に従って内部フレーム領域内の色相値ＨＩＦ（ｘ）が算出される。
ＨＩＦ（ｘ）＝ｋ（ｘ）Ｈ１＋｛１−ｋ（ｘ）｝Ｈ０    …（１）
ここで、座標ｘは、内部フレーム領域ＩＦと画像割付領域ＭＡ（すなわち対象画像ＩＰ）との間の境界ＢＬ０から、内部フレーム領域ＩＦと外部フレーム領域ＯＦとの間の境界ＢＬ１までの距離を示している。また、ｋ（ｘ）は座標ｘに依存する重み係数、Ｈ０は境界ＢＬ０における色相値、Ｈ１はＢＬ１境界における色相値である。なお、Ｈ０としては、色参照領域ＲＥＦの解析によって決定された内部フレーム領域ＩＦの色相値を用いることができる。境界ＢＬ１の色相値Ｈ１としては、外部フレーム領域ＯＦの色相データ３３０（図４（Ｄ））で設定されている値を用いることができる。
【００３４】
このように、徐々に色が変化するように内部フレーム領域ＩＦ内の色分布を決定すれば、内部フレーム領域ＩＦと外部フレーム領域ＯＦの境界が目立つことが無く、より自然な装飾画像を得ることができる。なお、本実施例では色相値のみを変化させるようにしていたが、色相値と彩度値の両方を変化させるようにしてもよい。この場合にも、明度は、テンプレートＦＰＴで設定されていた値に維持されることが好ましい。また、上記（１）式のように直線的に色を変化させる代わりに、所定の曲線的特性に沿って色を変化させるようにしてもよい。
【００３５】
以上のように、本実施例によれば、色が変更可能な内部フレーム領域ＩＦを有する装飾画像テンプレートＦＰＴを用いて装飾画像ＦＰを生成したので、内部フレーム領域に隣接する入力画像ＩＰの色に応じて内部フレーム領域ＩＦの色を設定することができる。この結果、入力画像ＩＰと色が調和する装飾画像を容易に得ることが可能である。
【００３６】
図７は、１ページ分のレイアウト領域ＬＡ上に複数の装飾付き画像ＳＰ１〜ＳＰ６を配置した出力画像の例を示している。これらの装飾付き画像ＳＰ１〜ＳＰ６には、同一の装飾画像テンプレートＦＰＴを用いた装飾画像が付加されている。但し、各装飾付き画像ＳＰ１〜ＳＰ６の内部フレーム領域の色は、上述した方法に従って各対象画像ＩＰ１〜ＩＰ６毎にそれぞれ独立に設定されている。一方、外部フレーム領域の色はすべて同一である。
【００３７】
このように、複数の異なる対象画像から複数の装飾付き画像を作成する際に、同一の装飾画像テンプレートを利用すれば、複数の装飾付き画像の外部フレーム領域が互いに同一になるので、統一感のあるレイアウトを得ることができる。また、内部フレーム領域の色は、個々の対象画像の色に応じて設定されるので、対象画像の色と内部フレーム領域の色とを調和させることが可能である。
【００３８】
Ｂ．変形例：
なお、この発明は上記実施例や実施形態に限られるものではなく、その要旨を逸脱しない範囲において種々の態様において実施することが可能であり、例えば次のような変形も可能である。
【００３９】
Ｂ1．変形例1：
上記実施例では、画像処理装置２００は、複数の装飾画像テンプレートＦＰＴが格納された装飾画像格納部２６０を備えるものとしているが、装飾画像格納部２６０はインターネットなどのコンピュータネットワークに接続されたサーバなどに設けられていても良い。この場合には、ネットワークで接続された複数の装置によって、装飾画像を対象画像に付加するための画像処理装置または画像処理システムが構成される。
【００４０】
Ｂ2．変形例2：
上記実施例では、各画像成分の変更の可否の属性は、各画像成分の先頭に埋め込まれた変更禁止ビットＭＩＢで表されていたが、各画像成分が変更可能な否かは、装飾画像テンプレートＦＰＴ内の他の位置に設定されていても良く、例えばヘッダ３０２に設定されていてもよい。
【００４１】
Ｂ3．変形例3：
上記実施例では、内部フレーム領域ＩＦの色をＨＳＶ表色系で表現していたが、他の任意の表色系の成分値を用いることが可能である。この場合に、明度を表すための１つの成分と、色相と彩度を表すための２つの成分とを用いる表色系を利用することが望ましい。なお、色相と彩度を表す２つの成分としては、２つの色差成分なども利用可能である。また、一般には、内部フレーム領域ＩＦの色を表現する３つの成分のうちの少なくとも１つの成分が変更可能に設定され、残りの少なくとも１つの成分が変更不可に設定されていればよい。但し、少なくとも明度を表す成分が変更不可に設定され、少なくとも色相を表す成分が変更可能に設定されていることが好ましい。こうすれば、内部フレーム領域の模様を変更することなく、色調のみを変更することが可能である。また、内部フレーム領域の彩度値を、色参照領域ＲＥＦの彩度値よりも低い値（例えば所定値だけ低下させた値）に設定すれば、より調和した色調が得られる場合がある。
【００４２】
Ｂ4．変形例4：
内部フレーム領域の色は、上述の方法以外の方法で決定してもよい。一般には、内部フレーム領域の色を、対象画像の色を解析することによって決定することが好ましい。
【００４３】
Ｂ5．変形例5：
上記実施例では、装飾画像が内部フレーム領域ＩＦと外部フレーム領域ＯＦとで構成されるものとしていたが、装飾画像がこれら以外の構成要素を有していてもよい。例えば、外部フレーム領域ＯＦ内に配置された画像部品を含んでいてもよい。
【００４４】
Ｂ6．変形例6：
上記実施例では、装飾画像が対象画像の全周にわたって設けられているものとしていたが、装飾画像が対象画像の周囲の一部のみに設けられていてもよい。
【図面の簡単な説明】
【００４５】
【図１】本発明の一実施例としての画像処理システム１００を示す説明図。
【図２】実施例における画像処理装置２００の構成を示すブロック図。
【図３】画像処理装置２００の処理の概要を示す説明図。
【図４】装飾画像テンプレートＦＰＴのデータ構造３００を示す説明図。
【図５】内部フレーム領域の色の決定方法を示す説明図。
【図６】内部フレーム領域の内部における色の変化を示す説明図。
【図７】１ページ上に複数の装飾付き画像ＳＰ１〜ＳＰ６を配置した出力画像の例を示す説明図。
【符号の説明】
【００４６】
１００…画像処理システム
１１０…デジタルスチルカメラ
１２０…パーソナルコンピュータ
１４０…カラープリンタ
２００…画像処理装置
２１０…入力画像取得部
２３０…装飾画像生成部
２４０…画像合成部
２５０…出力画像生成部
２６０…装飾画像格納部
３００…データ構造
３０２…ヘッダ
３０４…内部フレーム画像格納部
３０６…外部フレーム画像格納部
３１０…識別子
３１２…データ形式識別コード
３１４…内部フレーム形状データ
３１６…外部フレーム形状データ
３１８…画像割付領域形状データ
３２０…色相データ
３２２…彩度データ
３２４…明度データ
３２６…色参照ブロックデータ
３３０…色相データ
３３２…彩度データ
３３４…明度データ
【図１】
2005117438.tif 000003
【図２】
2005117438.tif 000004
【図３】
2005117438.tif 000005
【図４】
2005117438.tif 000006
【図５】
2005117438.tif 000007
【図６】
2005117438.tif 000008
【図７】
2005117438.tif 000009